(57)【要約】      （修正有）【課題】確実な作動と安全かつ容易な設置が可能な動物捕獲用罠装置を提供する。【解決手段】動物捕獲用罠装置は、一定の高さを有する四角形の壁部に囲まれた枠体１と、枠体に収納可能な外形を有する踏み板１０の対向する側面に、外周が楕円を形成するように一対のＵ字状ワイヤ保持枠１２が踏み板に対してそれぞれ垂直方向に回動自在に配置される。一対のＵ字状ワイヤ保持枠の両端部は枠体の外側にはみ出す構成となる。さらに踏み板の片側には一対のＵ字状ワイヤ保持枠を同時に押圧することにより回動を規制する一対のトリガー手段が設けられ、先端がループ状に構成され、ループ径を自在に変更できる手段とループ径を縮小する方向に付勢する手段とを有する捕獲ワイヤとからなることを特徴とする。【選択図】図１
0003192771.tif 000002
【実用新案登録請求の範囲】
【請求項１】
一定の高さを有する四角形の壁部に囲まれた枠体と；前記枠体に収納可能な外形を有する踏み板の対向する側面に、外周が楕円を形成するように一対のＵ字状ワイヤ保持枠が前記踏み板に対してそれぞれ垂直方向に回動自在に配置されており、前記一対のＵ字状ワイヤ保持枠の両端部は前記枠体の外側にはみ出す構成となっており、さらに前記踏み板の片側には前記一対のＵ字状ワイヤ保持枠を同時に押圧することにより回動を規制する一対のトリガー手段が設けられた踏み板と；先端がループ状に構成され、前記ループ径を自在に変更できる手段とループ径を縮小する方向に付勢する手段とを有する捕獲ワイヤとからなることを特徴とする動物捕獲用罠装置。
【請求項２】
前記Ｕ字状ワイヤ保持枠の各々を前記踏み板に接するように寝かせた際に、前記Ｕ字状ワイヤ保持枠の各々の上面同士がなす角度が片側では１８０度超、反対側では１８０度未満であることを特徴とする請求項１の動物捕獲用罠装置。
【請求項３】
前記捕獲ワイヤをＵ字状ワイヤ保持枠に係合保持した際に、前記ワイヤ上の付勢手段が前記枠体に抵触するのを防止するため、前記枠体の片側に切り欠き部をもうけたことを特徴とする請求項１または２のいずれかに記載の動物捕獲用罠装置。
【請求項４】
前記それぞれのＵ字状ワイヤ保持枠は、外周部に溝が形成されていることを特徴とする請求項１乃至３のいずれかに記載の動物捕獲用罠装置。
【考案の詳細な説明】
【技術分野】
【０００１】  本考案は、猪、鹿等の有害野生動物を捕獲するための罠装置に関する。
【背景技術】
【０００２】  従来から、猪や鹿等の有害野生動物を捕獲するための罠として、踏み板の反動によるワイヤ発射タイプの装置が提案されている。【０００３】  例えば、特許文献１には、踏み板の上面に半円弧状の作動体を互いに対向させて載置し、各作動体の回動端部を枠体の受け桟に載置し、縮小方向に付勢されたループを有するワイヤを各作動体の外周に懸回してリング状に保形した野生動物用罠が開示されている。しかし、この装置では作動体の支点と受け桟との距離が大きいため、踏み板の降下距離が長くならないと作動しにくいという問題点がある。また、ワイヤを設置する際には、安全のため規制ピンを枠体に差し込み、使用する直前にこのピンを抜き取らなければならないので、手間が掛かる。【０００４】  また、特許文献２には、踏み板と半枠状に構成された１対の作動部材と、この作動部材を指示する枠体と、付勢手段によりループ状に保持された捕獲ワイヤとからなる動物捕獲用罠が開示されている。この装置では、枠体に切り欠き縁を設け、この切り欠き縁により作動部材の回動を発生させるため、作動部材の初動速度を向上し確実に動物を捕獲できるとされる。しかしながら、この文献においては、捕獲ワイヤセット時の作動部材同士の角度は特に規定されておらず、図２を参照する限り、１８０度と推量される。しかしながら、この角度が１８０度である場合、ワイヤセット後に安全装置を取り外す際に、わずかの応力により作動部材が回動してワイヤを発射してしまう危険性がある。また、ワイヤをセットした後で、安全装置を解除しなければならないので手間もかかる。
【特許文献】
【０００５】
【特許文献１】実用新案登録第３１２７８３２号公報
【特許文献２】実用新案登録第３１５４１９５号公報
【考案の開示】
【考案が解決しようとする課題】
【０００６】  本考案は上記従来技術の問題点に鑑みてなされたものであり、確実な作動と安全かつ容易な設置が可能な動物用罠装置を提供することを課題とする。
【課題を解決するための手段】
【０００７】  上記課題を解決するため本考案による動物用罠装置は、一定の高さを有する四角形の壁部に囲まれた枠体と；前記枠体に収納可能な外形を有する踏み板の対向する側面に、外周が楕円を形成するように一対のＵ字状ワイヤ保持枠が前記踏み板に対してそれぞれ垂直方向に回動自在に配置されており、前記一対のＵ字状ワイヤ保持枠の両端部は前記枠体の外側にはみ出す構成となっており、さらに前記踏み板の片側には前記一対のＵ字状ワイヤ保持枠を同時に押圧することにより回動を規制する一対のトリガー手段が設けられた踏み板と；先端がループ状に構成され、前記ループ径を自在に変更できる手段とループ径を縮小する方向に付勢する手段とを有する捕獲ワイヤとからなることを特徴とする。【０００８】  前記Ｕ字状ワイヤ保持枠の各々を前記踏み板に接するように寝かせた際に、前記Ｕ字状ワイヤ保持枠の各々の上面同士がなす角度が片側では１８０度超、反対側では１８０度未満であることが好適である。【０００９】  また、前記捕獲ワイヤをＵ字状ワイヤ保持枠に係合保持した際に、前記ワイヤ上の付勢手段が前記枠体に抵触するのを防止するため、前記枠体の片側に枠体切り欠き部を設けることが好適である。【００１０】  さらに、前記それぞれのＵ字状ワイヤ保持枠は、外周部に溝が形成されていることが好適である。
【考案の効果】
【００１１】  本考案による動物用罠装置は、トリガー爪によりＵ字状ワイヤ保持枠の回動を規制できるため、捕獲ワイヤをセットする際に安全である。また、Ｕ字状ワイヤ保持枠が片側においては水平より下側（角度が１８０度超）でありながら反対側では水平より上側（角度が１８０度未満）となっているため、踏み板を踏んだときＵ字状ワイヤ保持枠が作動する感度が良好である。
【考案を実施するための最良の形態】
【実施例】
【００１２】  以下、図面に基づいて本考案の好適な実施例について説明する。図１に本考案による罠装置の一実施例の斜視図を示す。図１は、枠体１上に踏み板１０を設置した状態を示す。踏み板上には対向する２辺の側面にＵ字状ワイヤ保持枠支持部１１が設けられ、１対のＵ字状ワイヤ保持枠１２が外側に凸状部１３が向くように、かつ回動自在に回動軸１４により取り付けられている。１対のＵ字状ワイヤ保持枠１２は開いた（踏み板１０に最接近した状態）では全体が長円形となるよう構成されており、踏み板１０の端部に設けられたトリガー爪１５に係止することにより、その状態を維持するよう規制されている。また、開いた状態ではＵ字状ワイヤ保持枠１２の凸状部は枠体１の外方に配置されており、踏み板１０の外形は枠体１よりも小さく形成されているため、Ｕ字状ワイヤ保持枠１２の下面が枠体１上に載置された状態で、踏み板１０が枠体１内に収納されている。【００１３】  図２には、上記実施例の踏み板１０の平面図を示す。踏み板１０のトリガー爪１５を設けた端部は踏み板切り欠き部１７が設けられ、トリガー爪１５がＵ字状ワイヤ保持枠１２と確実に係止するよう調整されている。【００１４】  図３には、枠体１の斜視図を示した。枠体１は踏み板１０の厚さよりも高い壁部に囲まれた四角形からなり、１辺上には枠体切り欠き部２が形成され、枠体１の上部より高さが低く形成されている。また、枠体１からは連結紐１６が延出され、図２に示した踏み板１０と連結されている。これは枠体１と踏み板１０とが離散するのを防止するためである。【００１５】  図４には、Ｕ字状ワイヤ保持枠１２を開いてトリガー爪１５に係止した状態の踏み板１０の正面図を示す。この正面側においてトリガー爪１５が弾性的にＵ字状ワイヤ保持枠１２を係止しており、Ｕ字状ワイヤ保持枠１２同士のなす角度は１８０度超（両方のＵ字状ワイヤ保持枠１２がＡ−Ａ’線より下側になる）になるよう構成されている。これは、捕獲ワイヤをＵ字状ワイヤ保持枠１２周囲に巡らせた際に、捕獲ワイヤの収縮圧力によるＵ字状ワイヤ保持枠１２への応力を下向きに逃がし、Ｕ字状ワイヤ保持枠１２の回動圧力がトリガー爪１５にかかることを防止するためである。【００１６】  図５には、Ｕ字状ワイヤ保持枠１２が回動した状態の踏み板１０の正面図を示す。図１に示した本実施例において動物が踏み板１０上に乗ることにより、踏み板１０は枠体１内で下方に落下する。ところがＵ字状ワイヤ保持枠１２は枠体１外に延出されていて突出部１３の落下が阻害されるため、結果としてＵ字状ワイヤ保持枠１２は回動軸１４を中心として上方へ回動しようとする。そして、その応力がトリガー爪１５の係止圧力を超えた際に一気に上方へ跳ね上がる。【００１７】  図６には、図４に示した状態の踏み板１０の背面図を示す。この背面側においては、Ｕ字状ワイヤ保持枠１２同士のなす角度が１８０度未満（両方のＵ字状ワイヤ保持枠１２がＢ−Ｂ’線より上側になる）になるよう構成されていることが特徴である。正面側において角度が１８０度超になるようにして捕獲ワイヤ取り付け時のＵ字状ワイヤ保持枠１２の安定性を確保し、こちら側の角度を１８０度未満にすることにより、Ｕ字状ワイヤ保持枠１２の回動開始感度を上げるようにしている。また、Ｕ字状ワイヤ保持枠１２外側には溝部１８を設けることにより、捕獲ワイヤ２０を取り付けた際にずれを防止することができる。【００１８】  上記実施例の罠装置を使用する際のセット状態を図７に示す。図１に示した踏み板１０と枠体１との組み合わせ状態において、Ｕ字状ワイヤ保持枠１２の周囲に、バネ（図示していない）およびバネ受け部２２により縮小方向に付勢された捕捉ワイヤ２０を巡らして保持しておく。枠体１に設けた切り欠き部３は、この際にバネ受け部２２と枠体１が抵触しないための手段である。この捕捉ワイヤの例としては、例えば特許文献２の図４に示されている。【００１９】  次に、上記実施例の作動について説明する。図７に示したセット状態で動物がこの装置上に来て踏み板１０を踏むと、図１に示した枠体１に対して踏み板１０が下方に落下する。この際にトリガー爪１５の係止が解放され、Ｕ字状ワイヤ保持枠１２は枠体１の上部に押される形となり、図５に示したように上方へと跳ね上がる。このとき捕捉ワイヤ２０がＵ字状ワイヤ保持枠１２より解放される。捕捉ワイヤ２０はループ状捕捉部が縮小方向に付勢されているため、ループ状捕捉部の径が小さくなって動物の足に掛かる。
【産業上の利用可能性】
【００２０】  以上説明したように、本考案による動物用罠装置は確実な作動と安全な設置を可能にできるため、有害動物捕獲に極めて有用である。
【図面の簡単な説明】
【００２１】
【図１】本考案による罠装置の一実施例の斜視図であり、踏み板と枠体とを組み合わせた状態を示す。
【図２】図１に示した実施例の踏み板の平面図である。
【図３】図１に示した実施例の枠体を示す斜視図である。
【図４】図１に示した実施例の踏み板の正面図である。
【図５】図４に示した踏み板においてＵ字状ワイヤ保持枠が作動した状態を示す正面図である。
【図６】図４に示した踏み板の背面図である。
【図７】図１に示した実施例を使用できるようにセットした状態を示す斜視図である。
【符号の説明】
【００２２】１                  枠体
２                  枠体切り欠き部
１０                踏み板
１１                Ｕ字状ワイヤ保持枠支持部
１２                Ｕ字状ワイヤ保持枠
１３                凸状部
１４                回動軸
１５                トリガー爪
１６                連結紐
１７                踏み板切り欠き部
１８                溝部
２０                捕獲ワイヤ
２１                係止部
２２                バネ受け部
0003192771.tif 000003
【手続補正書】
【提出日】平成26年6月23日(2014.6.23)
【手続補正１】
【補正対象書類名】図面
【補正対象項目名】全図
【補正方法】変更
【補正の内容】
【図１】
0003192771.tif 000004
【図２】
0003192771.tif 000005
【図３】
0003192771.tif 000006
【図４】
0003192771.tif 000007
【図５】
0003192771.tif 000008
【図６】
0003192771.tif 000009
【図７】
0003192771.tif 000010